(57)【要約】【課題】高さ調整可能な枕を内包するための枕カバーであって、高さ調整部材の出し入れが容易であり、かつマチ幅を変更しても外観の美しさが損なわれない枕カバーを提供する。【解決手段】枕本体２と高さ調整部材３とからなる高さ調整可能な枕を内包するための枕カバー１であって、枕本体２の上面を覆う本体部１０と、枕本体２の下面又は高さ調整部材３の下面を覆う底部１１と、本体部１０と底部１１の端縁同士を連結するマチ１２とを備え、マチ１２には、高さ方向に所定の距離αをおいて一対のファスナーエレメント１３ａ，１３ｂが水平方向に沿って延設されており、このファスナーエレメント１３ａ，１３ｂ同士を噛合及び離脱させることでマチ幅を調整でき、一対のファスナーエレメント１３ａ，１３ｂの間の調整マチ部１４に、高さ調整部材３を出し入れするための挿入口１５が形成されている。【選択図】図１
2013042856.tif 000002
【特許請求の範囲】
【請求項１】
枕本体と高さ調整部材とからなる高さ調整可能な枕を内包するための枕カバーであって、
前記枕本体の上面を覆う本体部と、前記枕本体の下面又は前記高さ調整部材の下面を覆う底部と、本体部と底部の端縁同士を連結するマチとを備え、
前記マチには、高さ方向に所定の距離をおいて一対のファスナーエレメントが水平方向に沿って延設されており、このファスナーエレメント同士を噛合及び離脱させることでマチ幅を調整でき、
前記一対のファスナーエレメントの間の調整マチ部に、前記高さ調整部材を出し入れするための挿入口が形成されていることを特徴とする枕カバー。
【請求項２】
前記調整マチ部は、伸縮性に富む素材で形成されていることを特徴とする請求項１に記載の枕カバー。
【請求項３】
前記マチには、前記ファスナーエレメントを上方から覆うフラップが形成されていることを特徴とする請求項１又は２に記載の枕カバー。
【発明の詳細な説明】
【技術分野】
【０００１】
本発明は、枕カバーに関し、特に高さ調整可能な枕を内包するための枕カバーに関する。
【背景技術】
【０００２】
使用者の好みや体調等に応じて、高さを調整可能な枕としては、種々の構成のものが提案されている。下記の特許文献１には、枕本体部と高さ調整部材及び袋体より構成され、高さ調整部材の形状は枕本体部の下面と略同一形状を成し、高さ調整部材上に枕本体部を載せた形態で袋体に挿入され、高さ調整部材は、袋体より出し入れ可能とした枕が記載されている。
【０００３】
従来、このような高さ調整可能な枕用の枕カバーにおいては、高さ調整部材を取り除いた場合に、マチにだぶつきが生じ、枕全体の形状や外観の美しさが損なわれる状態となっていた。また、枕の高さを低くした際に、マチ幅を縮められるようにマチの上下にファスナーを設けた枕カバーも存在するが、ファスナーの端部は固定される形状になっており、マチ幅を広げて枕の高さを高くする場合、ファスナーの端部が引っ張られる状態となってしまい、外観上好ましくない。
【０００４】
下記の特許文献２にも、上面を頭部受面とした枕本体と、枕本体の下側に着脱可能に装着される板状のベース体と、枕本体及びベース体を積み重ねた状態で収納可能な枕カバーとからなる枕が記載されている。枕本体にベース体を装着するか否かにより、高さの調整を容易に行うことができるとともに、ベース体を複数から構成し、枕本体に対する該ベース体の装着数を変更することで、高さ調整を数段階で行うことができる。
【０００５】
特許文献２の枕カバーは、枕本体を収納して枕本体の上面を覆う本体部と、枕本体の下面又はベース体の下面を覆う蓋部とからなり、蓋部が伸縮性に富んだ素材から形成されているため、枕の高さが変化したとしても単一の枕カバーで対応できるようになっている。本体部と蓋部は、横方向における一方の端縁同士が縫合されているとともに、残りの三方の端縁部分にはファスナーが延設されており、本体部へ収納した枕本体の下側にベース体を装着したもとでファスナーを閉めると、蓋部は、ベース体の下面及び側面に密着するように引き伸ばされ、枕本体及びベース体を収納できる。
【０００６】
しかし、特許文献２の枕カバーは、枕の高さ変化に対応するためには非常に伸縮性が高い素材で蓋部を形成しなければならず、ベース体を枕本体に装着した状態でのファスナーの開閉は容易ではない。さらに、高さ調整用に設けられたファスナーは、使用者が寝ている間に毛髪がファスナーに絡まり、不快感が発生するという問題もあった。
【先行技術文献】
【特許文献】
【０００７】
【特許文献１】特開２０００−７００９４号公報
【特許文献２】特開２００７−７４３２号公報
【発明の概要】
【発明が解決しようとする課題】
【０００８】
本発明は上記実情に鑑みてなされたものであり、その目的は、高さ調整可能な枕を内包するための枕カバーであって、高さ調整部材の出し入れが容易であり、かつマチ幅を変更しても外観の美しさが損なわれない枕カバーを提供することにある。
【課題を解決するための手段】
【０００９】
上記目的は、下記の如き本発明により達成できる。即ち、本発明に係る枕カバーは、枕本体と高さ調整部材とからなる高さ調整可能な枕を内包するための枕カバーであって、前記枕本体の上面を覆う本体部と、前記枕本体の下面又は前記高さ調整部材の下面を覆う底部と、本体部と底部の端縁同士を連結するマチとを備え、前記マチには、高さ方向に所定の距離をおいて一対のファスナーエレメントが水平方向に沿って延設されており、このファスナーエレメント同士を噛合及び離脱させることでマチ幅を調整でき、前記一対のファスナーエレメントの間の調整マチ部に、前記高さ調整部材を出し入れするための挿入口が形成されていることを特徴とする。
【００１０】
本発明に係る枕カバーによれば、高さ調整部材を用いない場合、すなわち枕の高さが低い場合には、ファスナーエレメント同士を噛合させることでマチ幅を縮めることができる。このとき、ファスナーエレメントの間の調整マチ部は内側に収納されるため、マチがだぶつくことはなく、外観の美しさが損なわれない。一方、高さ調整部材を用いる場合、すなわち枕の高さが高い場合には、ファスナーエレメント同士を離脱させることでマチ幅を広げることができる。ファスナーエレメント同士を離脱させることで調整マチ部が外側に露出し、調整マチ部に形成された挿入口から枕カバーの中に高さ調整部材を容易に出し入れすることができる。
【００１１】
本発明に係る枕カバーにおいて、前記調整マチ部は、伸縮性に富む素材で形成されていることが好ましい。
【００１２】
この構成によれば、挿入口から高さ調整部材をさらに容易に出し入れすることができる。さらに、調整マチ部が伸縮性に富むことで、高さ調整部材を用いて数段階に高さを調整する場合にも、マチがだぶつくことはなく、外観の美しさが損なわれない。
【００１３】
本発明に係る枕カバーにおいて、前記マチには、前記ファスナーエレメントを上方から覆うフラップが形成されていることが好ましい。
【００１４】
この構成によれば、ファスナーエレメント同士を噛合又は離脱させた状態において、使用者が寝ている間に毛髪がファスナーエレメントに絡まるのを抑制できる。
【図面の簡単な説明】
【００１５】
【図１】本発明に係る枕カバーの一例を示す斜視図
【図２】高さ調整可能な枕の分解斜視図
【図３Ａ】枕カバーが枕本体のみを内包した状態を示す模式図
【図３Ｂ】枕カバーが枕本体及び高さ調整部材を内包した状態を示す模式図
【図３Ｃ】枕カバーが枕本体及び高さ調整部材を内包した状態を示す模式図
【図４】枕カバーの別実施形態を示す断面図
【発明を実施するための形態】
【００１６】
以下、本発明の実施形態について図面を参照しながら説明する。図１は本発明に係る枕カバーの一例を示す斜視図である。図２は、高さ調整可能な枕の分解斜視図である。
【００１７】
枕カバー１は、枕本体２と高さ調整部材３とからなる高さ調整可能な枕を内包するためのものである。
【００１８】
枕本体２は、略直方体状であり、頭部を受けるために上面の中央が少し凹んだ形状となっている。枕本体２は、例えば、横幅ｗが５００〜７００ｍｍ、奥行きｄが３００〜５００ｍｍ、高さｈが６０〜１００ｍｍ程度に設定されている。枕本体２の材質としては、適度な弾性を有するものや、使用感のよいもの等を適宜選択でき、例えば、軟質ポリウレタンフォーム全般、ラテックスフォーム、ポリエチレンフォーム等の発泡材料を用いることができる。なかでも、軟質ポリウレタンフォームが好ましく、更に低反発ポリウレタンフォームや吸放湿性に優れた軟質ポリウレタンフォームが好ましい。
【００１９】
高さ調整部材３は、枕本体２の下部に着脱することで枕の高さを調整するためのものである。高さ調整部材３は、平板状をしている。高さ調整部材３の上面及び下面は、枕本体２の下面と略同一形状となっている。本実施形態では、２枚の高さ調整部材３を使用しており、枕本体２の下部に配置する高さ調整部材３の数を変更することで、枕の高さ調整を数段階で行うことができる。各高さ調整部材３の高さｈ１は１５ｍｍに設定されている。高さ調整部材３の材質としては、例えば、軟質ポリウレタンフォーム全般、ラテックスフォーム、ポリエチレンフォーム等の発泡材料を用いることができる。なかでも、軟質ポリウレタンフォームが好ましく、更に高さ調整に適した高硬度軟質ポリウレタンフォームを用いることが好ましい。
【００２０】
枕カバー１は、枕本体２の上面を覆う本体部１０と、枕本体２の下面又は高さ調整部材３の下面を覆う底部１１と、本体部１０と底部１１の端縁同士を連結するマチ１２とを備えている。マチ１２は、枕本体２及び高さ調整部材３の側面を覆う。
【００２１】
枕カバー１の材質は、使用感等を考慮して適宜選択可能であるが、例えば、綿、羊毛等の天然繊維や、ナイロン、ポリエステル、ポリウレタン等の化学繊維を使用したストレッチ素材、起毛素材、タオル素材、パイル織素材等を使用することができる。
【００２２】
マチ１２には、高さ方向に所定の距離αをおいて一対のファスナーエレメント１３ａ，１３ｂが水平方向に沿って延設されている。ファスナーエレメント１３ａ，１３ｂは、水平方向の全周にわたってそれぞれ設けられている。この一対のファスナーエレメント１３ａ，１３ｂ同士は、噛合及び離脱可能となっている。本発明の一対のファスナーエレメント１３ａ，１３ｂは、離脱状態では上下に完全に分けられる、いわゆるオープンファスナーとなっている。ファスナーエレメント１３ａ，１３ｂをマチ１２に設ける位置は、適宜設定可能であるが、本実施形態では、上方のファスナーエレメント１３ａをマチ１２の上端縁に、下方のファスナーエレメント１３ｂをマチ１２の下端縁にそれぞれ設けている。
【００２３】
ファスナーエレメント１３ａ，１３ｂには、それぞれ接続始点部１３０ａ、１３０ｂが設けられており、ファスナーエレメント１３ｂには、ファスナーエレメント１３ｂに沿って移動可能なスライダー１３１が設けられている。スライダー１３１は、ファスナーエレメント１３ａ及びファスナーエレメント１３ｂを噛合せる機能を有しており、スライダー１３１を接続始点部１３０ｂに待機させた状態で、接続始点部１３０ａをスライダー１３１の胴体に挿入した後、スライダー１３１を移動させることにより、ファスナーエレメント１３ａ及びファスナーエレメント１３ｂを噛合せることができる。ファスナーエレメント１３ａ及びファスナーエレメント１３ｂを噛合させた状態から、スライダー１３１を逆方向に移動させることにより、ファスナーエレメント１３ａ及びファスナーエレメント１３ｂを離脱させることができる。
【００２４】
本発明の枕カバー１は、ファスナーエレメント１３ａ，１３ｂ同士を噛合及び離脱させることでマチ幅を調整できる。すなわち、ファスナーエレメント１３ａ，１３ｂを噛合させることで、ほぼ距離αだけマチ幅を縮めることができる。
【００２５】
ファスナーエレメント１３ａとファスナーエレメント１３ｂの間の調整マチ部１４は、伸縮性に富む素材で形成されていることが好ましい。調整マチ部１４は、枕カバー１の調整マチ部１４以外の部分よりも伸縮性に優れるほうが良い。調整マチ部１４は、高さ方向に最大で２００％以上伸びるように構成されるのが好ましい。調整マチ部１４の材質としては、ポリエステル等の化学繊維を使用したストレッチ素材を使用することができる。
【００２６】
また、調整マチ部１４には、高さ調整部材３を出し入れするための挿入口１５が形成されている。挿入口１５は、奥行き方向の端面であって、枕の使用状態において使用者から遠い側の調整マチ部１４に形成される。挿入口１５は不図示のファスナーにより開閉することができる。
【００２７】
枕の高さに合わせて枕カバー１のマチ幅を調整する方法を、図３Ａ〜図３Ｃを用いて説明する。図３Ａは、枕カバー１が枕本体２のみを内包した状態を示す。このとき、ファスナーエレメント１３ａ，１３ｂ同士を噛合させることでマチ幅を縮めている。ファスナーエレメント１３ａ，１３ｂ同士を噛合させた状態では、調整マチ部１４は枕カバー１の内側に収納されるため、マチ１２がだぶつくことはない。
【００２８】
図３Ｂは、枕カバー１が枕本体２と１枚の高さ調整部材３を内包した状態を示す。図３Ａの状態から枕の高さを高くしたい場合、まず、ファスナーエレメント１３ａ，１３ｂ同士を離脱させる。これにより、調整マチ部１４の高さだけマチ幅を広げることができる。次いで、調整マチ部１４に形成された挿入口１５から枕カバー１の中に高さ調整部材３を１枚挿入する。高さ調整部材３を挿入後、挿入口１５は不図示のファスナーで閉じる。
【００２９】
図３Ｃは、枕カバー１が枕本体２と２枚の高さ調整部材３を内包した状態を示す。図３Ｂの状態からさらに枕の高さを高くしたい場合、挿入口１５からさらに１枚の高さ調整部材３を挿入すればよい。このとき、高さ調整部材３を追加で挿入しても、調整マチ部１４は、伸縮性に富む素材で形成されているため、調整マチ部１４が伸びることでマチ幅を広げることができる。
【００３０】
＜別実施形態＞
（１）マチ１２には、ファスナーエレメント１３ａ，１３ｂを上方から覆うフラップが形成されていることが好ましい。図４は、ファスナーエレメント１３ａ，１３ｂの周辺を拡大して示す断面図である。図に示すように、ファスナーエレメント１３ａ，１３ｂを上方からそれぞれ覆うフラップ１６ａ，１６ｂが、マチ１２から下方へ向かって突出するように形成されている。フラップ１６ｂは、少なくともファスナーエレメント１３ｂを覆う大きさであればよいが、フラップ１６ａは、ファスナーエレメント１３ａ，１３ｂ同士を噛合させた状態で両者を完全に覆う大きさとするのが好ましい。
【００３１】
（２）前述の実施形態では、高さ調整部材３を２枚用いる例を示したが、この高さ調整部材３の枚数はこれに限定されず、３枚以上であってもよい。このとき、各高さ調整部材３の高さを低く設定することで、枕の高さを細かく段階的に調整できる。さらに、複数の高さ調整部材３の高さは、すべて同じである必要はなく、それぞれ異ならせてもよい。
【００３２】
（３）枕本体２と高さ調整部材３は、枕カバー１とは別に、通気性の高い袋体を別途準備し、この袋体に枕本体２と高さ調整部材３を各々収納してもよい。これにより、枕本体２と高さ調整部材３とが密着するのを防止できると共に、枕カバー１へ収納する際に適度に滑って挿入しやすくなる。枕本体２を収納する袋体の材質としては、例えばメッシュ生地が好ましく、高さ調整部材３を収納する袋体の材質としては、例えばメッシュ生地が好ましい。
【符号の説明】
【００３３】
１    枕カバー
２    枕本体
３    調整部材
１０    本体部
１１    底部
１２    マチ
１３ａ  ファスナーエレメント
１３ｂ  ファスナーエレメント
１４    調整マチ部
１５    挿入口
１６ａ  フラップ
１６ｂ  フラップ
【図１】
2013042856.tif 000003
【図２】
2013042856.tif 000004
【図３Ａ】
2013042856.tif 000005
【図３Ｂ】
2013042856.tif 000006
【図３Ｃ】
2013042856.tif 000007
【図４】
2013042856.tif 000008